(57)【要約】【課題】転がり軸受内部への塵、水等の異物の進入を防ぎ、且つ軸受内部のシール手前まで進入した異物を効果的に、軸受外部に排出する。【解決手段】第１のＬ字環状部材４のシールリップ７の凸部７ｃと、第１のＬ字環状部材４の円筒部４ａの内周との間にある空間を周方向に分割する複数の仕切り部７ｄを形成する。複数の仕切り部７ｄによって分割された空間に侵入した異物は、仕切り部７ｄにより周方向の移動が制限され、外輪２の回転により生じた遠心力により、軸受の外へ排出される。【選択図】図１
2012117583.tif 000002
【特許請求の範囲】
【請求項１】
外周に軌道面を有する内輪と、前記内輪の軌道面に転動自在に配置された複数の転動体と、前記内輪に対して、前記転動体を介して回転自在に配置された外輪と、前記内輪の外径と前記外輪の内径とのいずれか一方に固定され、他方に摺接されるシール部材、とから成る転がり軸受において、
前記シール部材は径方向断面がＬ字形状で、前記内輪及び前記外輪の軸方向端部に、軸方向に相対するように所定の間隔を置いて各々に固定された２つのＬ字環状部材から成り、
前記外輪の内径に固定される第１のＬ字環状部材には、
軸方向外側に配置された前記内輪の外径に固定される第２のＬ字環状部材に接触するリップ部と、
前記第２のＬ字環状部材との間に隙間を形成する凸部と、
前記凸部と前記第１のＬ字環状部材の内径面との間の空間を、周方向に分割する為に複数形成された仕切り部と、
を有するシールリップが嵌着されていることを特徴とする転がり軸受
【請求項２】
請求項１に記載の転がり軸受で、前記シールリップは、前記第２のＬ字環状部材の向きの異なる２つの面に摺接するリップを各１つずつ有することを特徴とする転がり軸受
【発明の詳細な説明】
【技術分野】
【０００１】
本発明は、例えば自動車のＨＵＢユニットや、コンベア用軸受等産業用に使用される軸受であって、密封性を向上させたシール構造を有する軸受に関するものである。
【背景技術】
【０００２】
自動車のＨＵＢユニットや、産業用機械、特にコンベアアイドラローラのような防塵性、防水性が求められる箇所に組込まれる軸受として、シールド板タイプの深溝玉軸受、又は開放型の玉軸受の外側にラビリンス形状をしたシールを組合わせた、図３に示す構成の玉軸受が一般に使用されている。同図に示すように、軸受３０は、軸１１に外嵌・固定された内輪１と、複数の玉３を介して内輪１に対して回転自在に配置された外輪２からなっている。外輪２は、アイドラーローラ１２の内周面に固定された軸受部材１３に内嵌・固定されている。内輪１の軸１１方向外側には、内輪に隣接した形でラビリンスシール１４が軸１１に外嵌・固定されており、その外径側のリップ部１４ａが軸受部材１３に摺接するようになっている。このラビリンスシール１４の内側部分には、グリースが充填されている。
【０００３】
しかし、上記従来の軸受３０においては、防塵性や防水性を向上させるために、ラビリンスシール１４の構造を複雑にしたり、ラビリンスシール１４の内部に多量のグリースを充填する必要があった。
ラビリンスシール１４の構造を複雑にすると、加工しにくいだけでなく、組立性も悪化し、加工や組立に掛かるコストも高くなる。また、ラビリンスシール１４の内部に多量のグリースを充填することでトルクが大きくなる為、特にコンベアのアイドラローラーの様に多数の転がり軸受を用いる場合は、軸受３０の回転に要するエネルギーが増大し、結果としてモーター等の動力源の出力や装置が大型化してしまうという問題点があった。
【０００４】
先行技術文献１では、軸受のシール部に非接触リップを形成してラビリンス構造として、軸受内部への異物の浸入を防いでいる。また、複雑な構造のラビリンスシールを省略し、軸受の低トルク化を実現している。
【先行技術文献】
【特許文献】
【０００５】
【特許文献１】特開２００８−２６７４６２号公報
【発明の概要】
【発明が解決しようとする課題】
【０００６】
しかしながら、先行技術文献１では、シール部から軸受内部への異物の浸入を防止するが、シール部まで進入した異物はシール部の周方向に自由に移動できる為、軸受外輪の回転に追従する事無くシール部に留まり続け、軸受の外部に排出されない恐れがある。結果として、軸受に進入した異物が錆やシールの劣化の原因となる可能性があった。
そこで、本発明は、防塵性、防水性を向上させたシール構造を有する、玉軸受を提供することを課題としている。
【課題を解決するための手段】
【０００７】
上記問題を解決するために、請求項１に記載の発明は、外周に軌道面を有する内輪と、前記内輪の軌道面に転動自在に配置された複数の転動体と、前記内輪に対して、前記転動体を介して回転自在に配置された外輪と、前記内輪の外径と前記外輪の内径とのいずれか一方に固定され、他方に摺接されるシール部材、とから成る転がり軸受において、
前記シール部材は径方向断面がＬ字形状で、前記内輪及び前記外輪の軸方向端部に、軸方向に相対するように所定の間隔を置いて各々に固定された２つのＬ字環状部材から成り、
前記外輪の内径に固定される第１のＬ字環状部材には、
軸方向外側に配置された前記内輪の外径に固定される第２のＬ字環状部材に接触するリップ部と、
前記第２のＬ字環状部材との間に隙間を形成する凸部と、
前記凸部と前記第１のＬ字環状部材の内径面との間の空間を、周方向に分割する為に複数形成された仕切り部と、
を有するシールリップが嵌着されていることを特徴としている。
また、請求項２に記載の発明は、請求項１に記載の転がり軸受で、前記シールリップは、前記第２のＬ字環状部材の向きの異なる２つの面に摺接するリップを各１つずつ有することを特徴としている。
【発明の効果】
【０００８】
本発明は以上のような構成を有しており、上記の構成において、外部から進入した塵や水等の異物は、仕切り部で仕切られた空間に入り、凸部と第２のＬ字環状部材とで形成されたラビリンス構造及び、リップ部により、これ以上の軸受内部への進入が防止される。また、仕切り部によって、異物は周方向の動きを規制されている為、外輪の回転によって生じる遠心力を受けて軸受の外へ排出される。
この様に、軸受の密封性と進入した異物の排出を簡単な構造で実現できるという効果が有る。
【図面の簡単な説明】
【０００９】
【図１】本発明の実施例を示す軸方向断面図を示す図である。
【図２】本発明の実施例の第１のＬ字環状部材を斜め平面より見た部分拡大図を示すものである。
【図３】従来の軸受及び、コンベアアイドラローラの構成を示す軸方向断面図を示すものである。
【発明を実施するための形態】
【００１０】
以下に、本発明の実施形態について説明する。
図１、図２において、本発明の転がり軸受１０は、外周面に軌道面１ａを有する内輪１と、内輪１の軌道面１ａに転動自在に配置された複数の転動体３と、内周面に軌道面２ａを有し内輪１に対して複数の転動体３を介して回転自在に配置された外輪２と、第１のＬ字環状部材４、第２のＬ字環状部材５からなるシール部材を備えている。複数の転動体３は保持器６に転動自在に保持されている。
シール部材である第１のＬ字環状部材４、第２のＬ字環状部材５はその径方向断面がＬ字形状で、第１のＬ字環状部材４の外径寸法は、第２のＬ字環状部材５の外径寸法よりも大きく設定されている。外輪２の軸方向端部の内径には、第１のＬ字環状部材４が圧入等により固定され、内輪１の軸方向端部の外径側には、第２のＬ字環状部材５が、軸方向で第１のＬ字環状部材４と相対して、所定の間隔を置いて軸方向外側に配置されるように圧入等により固定されている。
【００１１】
第１のＬ字環状部材４は、外輪２の軸方向外側端部の内周面に固定された円筒部４ａと円筒部４ａの一端から径方向内方に向かって延設される円板部４ｂとから成る。また、第２のＬ字環状部材５は、内輪１の軸方向外側端部の外周面に固定された円筒部５ａと円筒部５ａ一端から、径方向外方にむかって延設される円板部５ｂとから成る。第１のＬ字環状部材４の円筒部４ａは第２のＬ字環状部材５の円筒部５ａは径方向に向かい合い、大径Ｌ字環状部材４の円板部４ｂは小径Ｌ字環状部材５の円板部５ｂより軸方向内側（転動体３により近い側）にあって、円板部５ｂと軸方向に向かい合っている。
円板部４ｂの内径側端部と円筒部５ａの外周面との間、円板部５ｂの外径側端部と円筒部４ａの内周面との間にはそれぞれ所定の隙間を有している。
【００１２】
第１のＬ字環状部材４の円板部４ｂには、第２のＬ字環状部材の円筒部５ａに摺接するリップ部７ａ、円板部５ｂに摺接するリップ部７ｂが形成されたシールリップ７が固着されている。また、シールリップ７には、リップ部７ｂに略並行してリップ形状である凸部７ｃが形成されている。凸部７ｃは第２のＬ字環状部材５の円板部５ｂに対して隙間を空けて配置されることによりラビリンス構造を形成している。
さらに、凸部７ｃと第１のＬ字環状部材４の円筒部４ａの間の空間を周方向に分割する複数の仕切り部７ｄが形成されている。
リップ部７ａ、第１のＬ字環状部材４、内輪１、外輪２、転動体３で形成される空間には不図示のグリースが充填される。
【００１３】
上記の構造により、軸受１０の外部から進入した塵や水等の異物は、仕切り部７ｄで仕切られた空間に入り、凸部７ｃと第２のＬ字環状部材５とで形成されたラビリンス構造及び、リップ部７ａ、７ｂにより、これ以上の軸受内部への進入が防止される。また、仕切り部７ｄによって、異物は周方向の動きを規制されている為、外輪２の回転によって生じる遠心力を受けて軸受１０の外へ排出される。
この様に、軸受１０の密封性と進入した異物の排出を簡単な構造で実現できる。
【産業上の利用可能性】
【００１４】
転がり軸受として利用できる。
【符号の説明】
【００１５】
１      内輪
１ａ    内輪軌道面
２      外輪
２ａ    外輪軌道面
３      転動体
４      第１のＬ字環状部材
４ａ    円筒部
４ｂ    円板部
５      第２のＬ字環状部材
５ａ    円筒部
５ｂ    円板部
６      保持器
７      シールリップ
７ａ    リップ部
７ｂ    リップ部
７ｃ    凸部
７ｄ    仕切り部
１１    軸
１２    アイドラーローラ
１３    軸受部材
１４    ラビリンスシール
１４ａ  リップ部
１０    転がり軸受（本発明）
３０    転がり軸受（従来）
【図１】
2012117583.tif 000003
【図２】
2012117583.tif 000004
【図３】
2012117583.tif 000005